【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
入力したデータに対しフレーム単位で順次、データ処理を実行し、複数のフレームのデータ処理結果に基づいてデータ処理の確定処理を行うデータ処理手段と、
前記データ処理手段が動作する際にアクセス可能なメモリと、
前記データ処理手段が現フレームのデータ処理を実行する前に、前記データ処理手段の動作に必要なメモリサイズを前記メモリの空き領域に確保できるかどうかを判定する判定手段と、
前記判定手段により前記確保ができないと判定された場合、現フレーム以降のデータ処理を中断し、現フレームより過去のフレームに対して実行済みのデータ処理結果に基づいて前記確定処理を行うよう前記データ処理手段を制御する制御手段と、
を有することを特徴とする情報処理装置。
【請求項２】
入力したデータに対しフレーム単位で順次、データ処理を実行し、複数のフレームのデータ処理結果に基づいてデータ処理の確定処理を行うデータ処理手段と、
前記データ処理手段が動作する際にアクセス可能なメモリと、
前記データ処理手段が現フレームのデータ処理を実行した後に、次フレーム以降の前記データ処理手段の動作に必要なメモリサイズを前記メモリの空き領域に確保できるかどうかを判定する判定手段と、
前記判定手段により前記確保ができないと判定された場合、次フレーム以降のデータ処理を中断し、現フレームまで実行済みのデータ処理結果に基づいて前記確定処理を行うよう前記データ処理手段を制御する制御手段と、
を有することを特徴とする情報処理装置。
【請求項３】
前記メモリサイズは、前記複数のフレームのデータ処理に必要なメモリサイズと、前記複数のフレームのデータ処理結果に対する前記確定処理に必要なメモリサイズの和より大きいことを特徴とする請求項１又は２に記載の情報処理装置。
【請求項４】
入力した音声データに対しフレーム単位で順次、認識結果候補である仮説の最適解を探索する探索処理を実行し、複数のフレームの探索処理結果に基づいて認識結果の確定処理を行う探索処理手段と、
前記探索処理手段が動作する際にアクセス可能なメモリと、
前記探索処理手段が現フレームの探索処理を実行する前に、前記探索処理手段の動作に必要なメモリサイズを前記メモリの空き領域に確保できるかどうかを判定する判定手段と、
前記判定手段により前記確保ができないと判定された場合、現フレーム以降の探索処理を中断し、現フレームより過去のフレームに対して実行済みの探索処理結果に基づいて前記確定処理を行うよう前記探索処理手段を制御する制御手段と、
を有することを特徴とする音声認識装置。
【請求項５】
入力した音声データに対しフレーム単位で順次、認識結果候補である仮説の最適解を探索する探索処理を実行し、複数のフレームの探索処理結果に基づいて認識結果の確定処理を行う探索処理手段と、
前記探索処理手段が動作する際にアクセス可能なメモリと、
前記探索処理手段が現フレームの探索処理を実行した後に、次フレーム以降の前記探索処理手段の動作に必要なメモリサイズを前記メモリの空き領域に確保できるかどうかを判定する判定手段と、
前記判定手段により前記確保ができないと判定された場合、次フレーム以降の探索処理を中断し、現フレームまで実行済みの探索処理結果に基づいて前記確定処理を行うよう前記探索処理手段を制御する制御手段と、
を有することを特徴とする音声認識装置。
【請求項６】
前記メモリサイズは、前記複数のフレームの探索処理に必要なメモリサイズと、前記複数のフレームの探索処理結果に対する前記確定処理に必要なメモリサイズの和より大きいことを特徴とする請求項４又は５に記載の音声認識装置。
【請求項７】
入力したデータに対しフレーム単位で順次、データ処理を実行し、複数のフレームのデータ処理結果に基づいてデータ処理の確定処理を行うデータ処理手段と、前記データ処理手段が動作する際にアクセス可能なメモリとを備える情報処理装置の制御方法であって、
前記情報処理装置の判定手段が、前記データ処理手段が現フレームのデータ処理を実行する前に、前記データ処理手段の動作に必要なメモリサイズを前記メモリの空き領域に確保できるかどうかを判定する判定ステップと、
前記情報処理装置の制御手段が、前記判定ステップで前記確保ができないと判定された場合、現フレーム以降のデータ処理を中断し、現フレームより過去のフレームに対して実行済みのデータ処理結果に基づいて前記確定処理を行うよう前記データ処理手段を制御する制御ステップと、
を有することを特徴とする情報処理装置の制御方法。
【請求項８】
入力したデータに対しフレーム単位で順次、データ処理を実行し、複数のフレームのデータ処理結果に基づいてデータ処理の確定処理を行うデータ処理手段と、前記データ処理手段が動作する際にアクセス可能なメモリとを備える情報処理装置の制御方法であって、
前記情報処理装置の判定手段が、前記データ処理手段が現フレームのデータ処理を実行した後に、次フレーム以降の前記データ処理手段の動作に必要なメモリサイズを前記メモリの空き領域に確保できるかどうかを判定する判定ステップと、
前記情報処理装置の制御手段が、前記判定ステップで前記確保ができないと判定された場合、次フレーム以降のデータ処理を中断し、現フレームまで実行済みのデータ処理結果に基づいて前記確定処理を行うよう前記データ処理手段を制御する制御ステップと、
を有することを特徴とする情報処理装置の制御方法。
【請求項９】
入力した音声データに対しフレーム単位で順次、認識結果候補である仮説の最適解を探索する探索処理を実行し、複数のフレームの探索処理結果に基づいて認識結果の確定処理を行う探索処理手段と、前記探索処理手段が動作する際にアクセス可能なメモリとを備える音声認識装置の制御方法であって、
前記音声認識装置の判定手段が、前記探索処理手段が現フレームの探索処理を実行する前に、前記探索処理手段の動作に必要なメモリサイズを前記メモリの空き領域に確保できるかどうかを判定する判定ステップと、
前記音声認識装置の制御手段が、前記判定ステップで前記確保ができないと判定された場合、現フレーム以降の探索処理を中断し、現フレームより過去のフレームに対して実行済みの探索処理結果に基づいて前記確定処理を行うよう前記探索処理手段を制御する制御ステップと、
を有することを特徴とする音声認識装置の制御方法。
【請求項１０】
入力した音声データに対しフレーム単位で順次、認識結果候補である仮説の最適解を探索する探索処理を実行し、複数のフレームの探索処理結果に基づいて認識結果の確定処理を行う探索処理手段と、前記探索処理手段が動作する際にアクセス可能なメモリとを備える音声認識装置の制御方法であって、
前記音声認識装置の判定手段が、前記探索処理手段が現フレームの探索処理を実行した後に、次フレーム以降の前記探索処理手段の動作に必要なメモリサイズを前記メモリの空き領域に確保できるかどうかを判定する判定ステップと、
前記音声認識装置の制御手段が、前記判定ステップで前記確保ができないと判定された場合、次フレーム以降の探索処理を中断し、現フレームまで実行済みの探索処理結果に基づいて前記確定処理を行うよう前記探索処理手段を制御する制御ステップと、
を有することを特徴とする音声認識装置の制御方法。
【請求項１１】
コンピュータに、請求項７又は８に記載の情報処理装置の制御方法における各ステップを実行させるためのプログラム。
【請求項１２】
コンピュータに、請求項９又は１０に記載の音声認識装置の制御方法における各ステップを実行させるためのプログラム。
【手続補正２】
【補正対象書類名】明細書
【補正対象項目名】発明の名称
【補正方法】変更
【補正の内容】
【発明の名称】情報処理装置及びその制御方法、音声認識装置及びその制御方法、並びにプログラム